(57)【要約】【課題】本発明は、ユーザーにアプリケーションに対する数字や文字の入力が容易な移動通信端末機及びその方法を提供する。【解決手段】本発明による移動通信端末機であって、記移動通信端末機上に具現される少なくとも一つのアプリケーションと、アイドル状態で、ユーザーから変数が入力される場合、変数に関連したアプリケーションを出力し、ユーザーが所定のアプリケーションを選択すれば、入力された変数が選択されたアプリケーションの所定の入力フィールドの入力値として入力する制御部と、変数に関連したアプリケーションを表示する表示部とを備える。【選択図】図２
2007058861.tif 000002
【特許請求の範囲】
【請求項１】
移動通信端末機であって、
前記移動通信端末機上に具現される少なくとも一つのアプリケーションと、
アイドル状態で、ユーザーから変数が入力される場合、前記変数に関連したアプリケーションを出力し、ユーザーが所定のアプリケーションを選択すれば、入力された変数が前記選択されたアプリケーションの所定の入力フィールドの入力値として入力する制御部と、を備えることを特徴とする移動通信端末機。
【請求項２】
前記ユーザー入力に従う結果を表示する表示部をさらに備えることを特徴とする請求項１に記載の移動通信端末機。
【請求項３】
前記変数は、一つの数字及び文字であることを特徴とする請求項１に記載の移動通信端末機。
【請求項４】
前記制御部は、入力された変数が前記選択されたアプリケーションの入力フォーマットに従うか否かを判断して、従わない場合、エラーメッセージを前記表示部に出力させることを特徴とする請求項２に記載の移動通信端末機。
【請求項５】
前記制御部は、ユーザーにより選択されたアプリケーションが計算機アプリケーションである場合、前記入力された変数を計算対象として入力することを特徴とする請求項１に記載の移動通信端末機。
【請求項６】
前記制御部は、ユーザーにより選択されたアプリケーションが度量衡変換器アプリケーションである場合、前記入力された変数を前記度量衡変換対象の入力値として入力することを特徴とする請求項１に記載の移動通信端末機。
【請求項７】
前記制御部は、ユーザーにより選択されたアプリケーションがアラーム設定アプリケーションである場合、前記入力された変数を前記アラーム時間値として入力することを特徴とする請求項１に記載の移動通信端末機。
【請求項８】
前記制御部は、ユーザーにより選択されたアプリケーションがスケジュール管理アプリケーションである場合、前記入力された変数を管理対象日付値として入力することを特徴とする請求項１に記載の移動通信端末機。
【請求項９】
移動通信端末機においてアプリケーションを駆動する方法であって、
アイドル状態で、ユーザーから変数が入力される場合、前記変数に関連したアプリケーションを表示するステップと、
ユーザーが所定のアプリケーションを選択すれば、入力された変数が前記選択されたアプリケーションの所定の入力フィールドの入力値として入力するステップと、を含むことを特徴とする方法。
【請求項１０】
前記変数は、一つの数字及び文字であることを特徴とする請求項９に記載の方法。
【請求項１１】
前記入力された変数が前記選択されたアプリケーションの入力フォーマットに従うか否かを判断するステップと、
前記入力された変数が前記アプリケーションの入力フォーマットに従わない場合、エラーメッセージを表示するステップと、をさらに含むことを特徴とする請求項９に記載の方法。
【請求項１２】
前記入力ステップは、選択されたアプリケーションが計算機アプリケーションである場合、前記入力された変数を計算対象値として入力するステップであることを特徴とする請求項９に記載の方法。
【請求項１３】
前記入力ステップは、ユーザーにより選択されたアプリケーションが度量衡変換器アプリケーションである場合、前記入力された変数を前記度量衡変換対象の入力値として入力するステップであることを特徴とする請求項９に記載の方法。
【請求項１４】
前記入力ステップは、ユーザーにより選択されたアプリケーションがアラーム設定アプリケーションである場合、前記入力された変数をアラーム時間値として入力するステップであることを特徴とする請求項９に記載の方法。
【請求項１５】
前記入力ステップは、ユーザーにより選択されたアプリケーションがスケジュール管理アプリケーションである場合、前記入力された変数を管理対象日付値として入力するステップであることを特徴とする請求項９に記載の方法。
【発明の詳細な説明】
【技術分野】
【０００１】
本発明は、移動通信端末機におけるアプリケーション駆動方法及びその移動通信端末機に関する。
【背景技術】
【０００２】
一般に、移動通信端末機に具現されたアプリケーションは、所定の入力項目に対する数字や文字をユーザーから入力される。ユーザーは、アプリケーションを駆動した後、アプリケーションが提供する入力項目に文字や数字を入力する。具体的に、文字メッセージの送信時、ユーザーはＳＭＳ(short message service)のためのボタンを選択し、“メッセージ送信”メニューを選択した後、受信番号又は送信メッセージ内容を入力する。例えば、受信番号“０１０-１２３-４５６７”に所定の文字を転送したいとき、移動通信端末機のユーザーは“ＳＭＳ”ボタンを選択し、“メッセージ送信”メニューを選択した後、受信番号０１０１２３４５６７及び送信メッセージ内容を入力した後、“送信”メニューを選択して文字メッセージを転送する。
【０００３】
前述のような文字メッセージ送信方法は、ユーザーが当該アプリケーションメニューに進入した後、受信番号や送信メッセージ内容を入力するようになっている。これにより、ユーザーは、受信番号や送信メッセージ内容を先に移動通信端末機上に表示する場合、表示内容を所定のアプリケーションの入力値として使用したいと、表示内容をユーザーが記憶したりメモしなければならなかった。
【０００４】
一方、所定のアプリケーションに別途のホットキー(Hot Key)が設定されていても、アプリケーションの駆動後、ユーザーから数字や文字が入力されるので、不便を招く恐れがある。
【発明の開示】
【発明が解決しようとする課題】
【０００５】
よって、本発明の目的は、ユーザーにアプリケーションに対する数字や文字の入力が容易な移動通信端末機及びその方法を提供することにある。
【課題を解決するための手段】
【０００６】
前記目的を達成するために、本発明による移動通信端末機であって、記移動通信端末機上に具現される少なくとも一つのアプリケーションと、アイドル状態で、ユーザーから変数が入力される場合、前記変数に関連したアプリケーションを出力し、ユーザーが所定のアプリケーションを選択すれば、入力された変数が前記選択されたアプリケーションの所定の入力フィールドの入力値として入力する制御部と、前記変数に関連したアプリケーションを表示する表示部とを備える。
【発明の効果】
【０００７】
本発明によれば、別途のアプリケーション選択の段階なしに、ユーザー関心対象である数字や文字を入力した後、当該アプリケーションを駆動する方法であって、ユーザーは、数字/文字の内容を忘れることなく、直ぐ端末機に入力することで、端末機の数字/文字の入力の必須アプリケーションをより速くて便利に用いられる。
【発明を実施するための最良の形態】
【０００８】
具体的に、ユーザーが移動通信端末機のアイドル状態(idle state)で数字や文字を入力すれば、移動通信端末機は、入力された変数が数字か文字かを判断する。移動通信端末機は、入力された変数が数字であれば、数字に関連したアプリケーションを表示し、入力された変数が文字であれば、文字に関連したアプリケーションを表示する。ユーザーが、表示されたアプリケーションのうち、所定のアプリケーションを選択すれば、選択されたアプリケーションを駆動しながら、既に入力された数字や文字が選択されたアプリケーションの入力フィールドに入力されるようにする。これにより、ユーザーが所望のアプリケーションを駆動した後、入力フィールドを選択しなくても、所定のアプリケーションに関する文字や数字を当該アプリケーションの駆動前に入力できるので、ユーザーの便宜性が図れる。
【０００９】
以下、本発明の好適な実施形態について添付図面を参照しながら詳細に説明する。なお、下記の説明において、本発明の要旨のみを明瞭にするために、公知の機能や構成についての具体的な説明は適宜省略する。
【００１０】
図１は、本発明の実施形態による移動通信端末機のブロック構成図である。図１によれば、移動通信端末機は、制御部２、無線部４、音声処理部６、キー入力部１０、表示部８及びメモリ１２を含む。
【００１１】
制御部２は、移動通信端末機の全般的な制御動作を遂行し、本発明の実施形態により、アイドル状態で各種アプリケーションを駆動させて演算を行う。具体的には、アイドル状態でユーザーがキー入力部１０のキーを押下すれば、制御部２は、押下されたキーに応じて数字を認識して表示部８上に表示する。すなわち、制御部２は、アイドル状態では数字入力モードにある。また、制御部２は、アイドル状態で所定キーを長く押下すれば、文字入力モードに転換して文字を入力できるようにする。所定キーはキー入力部１０のどのキーでも良いが、例えば、“取消”キーになり得る。
【００１２】
また、制御部２は、文字入力モードで所定キーを長く押下すれば、数字入力モードに転換する。すなわち、トグル方式により数字入力モードと文字入力モードとが転換されるため、数字と文字の入力転換が容易である。
【００１３】
制御部２は、変数(文字や数字)が入力される場合、当該変数に関連したアプリケーションを表示する。例えば、制御部は、表示部８上に上下左右の方向キーにマッチングされるアプリケーションアイコンを表示し、入力した変数によって駆動されるアプリケーションがどのようなものかユーザーが分かるようにする。ユーザーは４方向キーの一つを押下して所望のアプリケーションを選択できる。
【００１４】
すなわち、数字が入力されると、４つの数字関連アプリケーションを示すアイコンが表示部８上に表示される。一般的な“数字関連アプリケーション”は、アプリケーションの駆動時、ユーザーから数字が入力されるアプリケーションを言い、計算機、アラーム、度量衡変換器、スケジュール管理機能、文字メッセージ転送機能などになり得るが、これに限定されるものではない。４方向キーの上方向に文字メッセージ転送機能をマッチングさせる場合、ユーザーが受信番号を入力して上方向キーを押下すれば、端末機の制御部２はメモリ１２に受信番号を仮格納した後、文字メッセージ送信メニューを活性化し、受信番号入力フィールドに受信番号を入力させる。或いは、制御部２は、当該アプリケーションが入力された数字を入力フィールドの入力値として認識するように制御しながら、当該アプリケーションの駆動を制御する。
【００１５】
また、制御部２は、アイドル状態でユーザーが“取消”キーを長く押下すれば、数字入力モードから文字入力モードに変換する。文字入力モードにおいてユーザーが文字を入力すれば、制御部２は一つ以上の文字関連アプリケーションを示すアイコンが表示部８上に表示されるようにする。
【００１６】
一般的な“文字関連アプリケーション”は、アプリケーションの駆動時、ユーザーから文字が入力されるアプリケーションを言い、文字メッセージ転送機能やスケジュール管理機能などになり得るが、これに限定されるものではない。例えば、ユーザーが文字メッセージ送信機能がマッチングされたキーを押下する場合、端末機の制御部２ではメモリ１２に文字入力内容を仮格納した後、文字メッセージ送信メニューを出力し、メッセージ内容入力フィールドに文字内容を入力させる。
【００１７】
一方、制御部２は、当該アプリケーションに不適合な入力変数が入力された場合、表示部８を介して制御部２に警告メッセージを出力して、ユーザーが適合な入力フォーマットによって数字や文字を入力できるようにする。一例として、制御部２は、ユーザーに当該アプリケーションに適合な数字の桁/字数を入力するようにする。他の例として、制御部２は、ユーザーに当該アプリケーションに適合な範囲の数字を入力するようにする。
【００１８】
例えば、ユーザーが、１２３４５などの既存の移動電話の番号形式から外れる桁を入力し、表示されたアプリケーションの中の文字メッセージ転送アプリケーションを選択すれば、制御部２は、入力した数字が適合な移動電話の番号形式に“適合な形式でないです。”という警告メッセージを表示部８に表示できる。同様に、文字入力モーにおいても、文字メッセージ転送の限界を超過する字を入力し、表示されたアプリケーションの中の文字メッセージ転送アプリケーションを選択すれば、制御部２は“転送可能な文字容量を超過します”という警告メッセージを表示できる。
【００１９】
無線部４は、音声データ及び制御データを無線信号に変換して送信し、無線信号を受信して音声データ及び制御データに変換して出力する。音声処理部６は、音声データをスピーカーを介して可聴音に変換して出力し、マイクロホン(microphone)から受信される音声信号をデータ化して出力する。キー入力部１０は、複数の数字及び文字キーからなり、ユーザーから電話番号の検索のためのキーワードを入力されるための装置によりキーワード入力信号を制御部２に出力する。表示部８は、液晶表示装置(Liquid Crystal Display:LCD)等のような表示装置からなり、本発明の実施形態によりＵＩ(User Interface)やＧＵＩ(Graphic User Interface)を介してアプリケーションの出力を担当する。メモリ１２は、複数のアプリケーション及びデータを格納し、ユーザーの数字/文字の入力を仮格納するためのバッファを備える。
【００２０】
図２は、本発明の実施形態による移動通信端末機において数字関連アプリケーションを駆動するための制御フローチャート、図３は、本発明による数字関連アプリケーションの駆動時の表示部８の画面の一例を示す。
【００２１】
図２によれば、アイドル状態のとき、移動通信端末機の制御部２は、段階Ｓ１０２においてユーザーから数字が入力されるか否かを判断する。ユーザーにより数字が入力される場合、制御部２は、段階Ｓ１０４において数字に関連したアプリケーションを表示部８に表示する。例えば、ユーザーがアイドル状態で１２３４５６を入力すれば、制御部２は図３Ａのように表示部８に表示するように出力する。図３Ａによれば、画面上に数字関連アプリケーションがそれに対応してマッピングされたキーと共に表示される。これにより、ユーザーは表示されたアプリケーションのうち、所望のアプリケーションをそのマッピングされたキーを選択することにより駆動させることができる。
【００２２】
続いて、制御部２は、ユーザーが、段階Ｓ１０６において表示されたアプリケーションの何れか一つを選択するかをモニターリングする。ユーザーが所定のアプリケーションを選択すれば、制御部２は段階Ｓ１０８において入力された数字がアプリケーションの数字入力に関する入力フォーマットに従うか否かを判断する。仮りに、入力された数字がアプリケーションの数字入力に関する入力フォーマットに従わない場合、制御部２は、段階Ｓ１１２において入力数字がアプリケーションの入力フォーマットに合わないことを示すエラーメッセージを表示部８に出力する。図３Ｂのような方式によりエラーメッセージが表示される。このとき、エラーメッセージはアプリケーション毎に異なることができる。
【００２３】
また、入力された数字がアプリケーションの数字入力に関する入力フォーマットに従う場合、制御部２は、段階Ｓ１１０において当該アプリケーションが入力された数字を所定の入力フィールドの入力値として認識するように制御しながら、当該アプリケーションを駆動する。他方、制御部２は、ユーザーにより入力された数字をメモリ１２に仮格納し、アプリケーションを駆動した後、アプリケーションの当該入力フィールドに入力させることができる。
【００２４】
図４は、本発明による移動通信端末において数字関連アプリケーションを駆動するための第１の実施形態を示す図、図５は、図４の実施形態による数字関連アプリケーションの駆動時の表示部の画面を示す。
【００２５】
図４によれば、アイドル状態のとき、移動通信端末機の制御部２は、段階Ｓ１２０においてユーザーから数字が入力されるか否かを判断する。ユーザーから数字が入力される場合、制御部２は、段階Ｓ１２２において図５のように数字に関連したアプリケーションを表示部８に出力する。前述したように、“数字関連アプリケーション”は、計算機、アラーム、度量衡変換器、スケジュール管理機能、文字メッセージ転送機能になり得るが、これに限定されるものではない。本実施形態は、ユーザーにより計算機アプリケーションが選択された場合に該当する。
【００２６】
これにより、制御部２は、段階Ｓ１２４においてユーザーにより計算機アプリケーションが選択されるか否かを判断する。制御部２は、ユーザーが計算機アプリケーションを選択する場合、段階Ｓ１２６において入力された数字が計算可能な入力値か否かを判断する。計算機アプリケーションは、一般的に計算可能な桁が決まっている。よって、制御部２は、ユーザーから入力された数字が計算可能な範囲内の入力値か否かを判断すべきである。仮りに、入力数字が計算機アプリケーションにより計算可能な桁であれば、制御部２は、段階Ｓ１２８において計算機アプリケーションが入力された数字を計算対象値として認識するように制御しながら、当該アプリケーションを駆動する。これにより、アプリケーションが駆動される場合、図５のような画面が表示される。図５によれば、ユーザーから入力された数字は、計算機アプリケーションの入力フィールドに計算対象値として入力される。
【００２７】
仮りに、入力数字が計算機アプリケーションにより計算可能な桁でなければ、制御部２は、段階Ｓ１３０においてエラーメッセージを表示部８に出力する。このとき、エラーメッセージは“Ｎ桁まで入力可能です(You can input only N digit)”というメッセージであるのが好ましい。
【００２８】
一方、第１の実施形態は、度量衡変換器アプリケーションにも類似に適用できる。図６は、本発明の実施形態による度量衡変換器アプリケーションの駆動時の表示部の画面を示す。ユーザーが数字を入力した後、度量衡変換器アプリケーションを選択すれば、制御部２は入力された数字が度量衡変換可能な入力値か否かを判断する。度量衡変換器アプリケーションは、計算機アプリケーションと類似に度量衡変換可能な桁が決まっている。よって、制御部２は、ユーザーにより入力された数字が度量衡変換可能な範囲内の入力値か否かを判断すべきである。仮りに、入力数字が度量衡変換器アプリケーションにより度量衡変換可能な桁であれば、制御部２は、度量衡変換器アプリケーションが入力された数字を度量衡変換対象の入力値として認識するように制御しながら、当該アプリケーションを駆動する。この場合を図６に示す。図６Ａの画面はユーザーにより数字が入力された画面である。また、アプリケーションが駆動される場合、図６Ｂのような画面が表示される。図６Ｂによれば、ユーザーにより入力された数字は度量衡変換器アプリケーションにより度量衡変換対象の入力値として認識され、これにより、度量衡変換器アプリケーションは、当該数字にどのような度量衡を適用するかをユーザーに質疑する画面を示す。ユーザーが通話(currency)を選択すれば、制御部２は、図６Ｃのように入力された数字を度量衡変換対象値として入力フィールドに入力する。
【００２９】
図７は、本発明による移動通信端末機において数字関連アプリケーションを駆動するための第２の実施形態を示す図、図８は、図７の実施形態による数字関連アプリケーションの駆動時の表示部の画面を示す。
【００３０】
図７によれば、アイドル状態のとき、移動通信端末機の制御部２は、段階Ｓ１５０においてユーザーから数字が入力されるか否かを判断する。ユーザーにより数字が入力される場合、制御部２は、段階Ｓ１５２において図８Ａのように数字に関連したアプリケーションを表示部８を介して出力する。前述したように、“数字関連アプリケーション”は計算機、アラーム、度量衡変換器、スケジュール管理機能、文字メッセージ転送機能などになり得るが、これに限定されるものではない。本実施形態は、ユーザーによりアラーム設定アプリケーションが選択された場合に該当する。
【００３１】
これにより、制御部２は、段階Ｓ１５４においてユーザーによりアラーム設定アプリケーションが選択されるか否かを判断する。制御部２は、ユーザーがアラーム設定アプリケーションを選択する場合、段階Ｓ１５６において入力された数字がアラーム設定のための時及び分を示すか否かを判断する。アラーム設定アプリケーションは、一般的にユーザーからアラーム時刻が入力される。具体的に、制御部２は、ユーザーにより数字が入力された後、アラーム設定アプリケーションが選択される場合、入力された数字の中の前から２桁は時(hours)、後から２桁は分(minutes)として認識する。図８Ａに示すように、ユーザーが入力した数字である１１３０において、１１は時、３０は分として認識される。このとき、入力数字の桁は４桁に固定されるのが好ましい。しかしながら、制御部２は、入力された数字が３桁である場合、前の１桁を時、残り２桁を分として認識できる。例えば、入力数字が５２０である場合、図８Ｄに示すように、最初の桁を時、残り２桁を分として、５時２０分として認識できる。
【００３２】
続いて、制御部２は、認識した時が正当な時間範囲内か否かを判断する。類似に、制御部２は認識した分が正当な時間範囲内か否かを判断する。時は１２個の時間の何れか一つを示し、分は１時間６０個の分の何れか一つを示す。仮りに、時と分を示す数字が正当な時間範囲内である場合、制御部２は段階Ｓ１５８においてアラーム設定アプリケーションが入力された数字をアラーム時間値として認識するように制御しながら、当該アプリケーションを駆動する。
【００３３】
ユーザーにより入力された数字は、アラーム設定アプリケーションによりアラーム時間値として認識され、これにより、アラーム設定アプリケーションは当該数字をどのアラームに決定するかを質疑する画面を図８Ｃのように表示する。図８Ｃによれば、ユーザーは入力されたアラーム時刻値に対し、どのようなアラームとするかを選択できる。図８Ｂではモーニングコールアラーム、アラーム１、アラーム２が表示されている。ユーザーは入力したアラーム時間値をどのアラームに適用するかを決定する。このとき、表示された画面におけるカーソルの位置は、現在設定アラームがなかったり、可能な全てのアラーム(例えば３個)が設定された場合、アラームリストの中の最上位アラームに位置する。しかしながら、カーソルの位置は、現在設定されたアラームと設定されていないアラームとが全部ある場合、設定されていないアラームにカーソルを位置させる。設定されているアラームが一つ以上であれば、適切な基準によってカーソルが位置できる。これにより、ユーザーがカーソルを移動して適切なアラームを選択する場合、アラーム設定アプリケーションは図８Ｃに示すように当該アラームを設定するための画面を表示する。
【００３４】
一方、制御部２は、時が正当な時間範囲内か否かを判断する場合、時は２４個の時間の何れか一つに示す。例えば、入力数字が１６４０である場合、図８Ｅに示すように、最初の桁を時、残り２桁を分として、０４時４０分として認識できる。
【００３５】
また、入力された数字が正当な時間範囲から外れる場合、制御部２は段階Ｓ１６０においてエラーメッセージを表示部８を介して出力する。このとき、エラーメッセージは“入力時間が正確でないです(Input time is incorrect)”になり得る。勿論、ユーザーにより５桁の数字が入力される場合、制御部２はエラーメッセージを表示部８を介して出力することもできる。
【００３６】
一方、第２の実施形態は、スケジュール管理アプリケーションにも類似に適用できる。図９は、本発明の実施形態によるスケジュール管理アプリケーションの駆動時の表示部の画面を示す。ユーザーが数字を入力した後、スケジュール管理アプリケーションを選択すれば、制御部２は入力された数字が月及び日を示すか否かを判断する。スケジュール管理アプリケーションは、一般的にユーザーから管理対象日付を入力される。これにより、制御部２は入力された数字を管理対象日として認識し、スケジュール管理アプリケーションの日入力フィールドに入力する。このために、制御部２０は入力された数字のうちで、前から２桁は月(month)、後から２桁は日として認識する。図９Ａに示すように、ユーザーが入力した数字である０４２３において、０４は月、２３は日として認識される。このとき、入力数字は４桁に固定されるのが好ましい。このとき、日を示す数字は入力した月から可能な日の一つの場合にだけ正当である。
【００３７】
入力された数字が正当な日付の範囲内であれば、スケジュール管理アプリケーションは、当該日付をどのスケジュールに適用するかを質疑する画面を、図９Ｂのように表示する。図９Ｂによれば、スケジュール、記念日、雑務などが表示されている。ユーザーは入力した日をどのスケジュール管理に適用するかを決定する。このとき、ユーザーがスケジュールを選択すれば、図９Ｃのようにスケジュールを設定するための画面が表示され、ユーザーが入力した日付は当該入力フィールドに入力される。
【００３８】
図１０は、本発明による移動通信端末機において文字関連アプリケーションを駆動するための制御フローチャートである。
【００３９】
図１０によれば、アイドル状態のとき、移動通信端末機の制御部２は、段階Ｓ１７０においてユーザーにより文字入力モードに進入するか否かを判断する。ユーザーは、所定キーを長く押下すれば、文字入力モードに転換して文字を入力できる。所定キーはキー入力部１０のどのキーでも良いが、例えば、“取消”キーになり得る。文字入力モードに進入すれば、制御部２は、段階Ｓ１７２においてユーザーが文字を入力するか否かを判断する。ユーザーが文字を入力すれば、制御部２は、段階Ｓ１７４において文字に関連したアプリケーションを表示部上に出力する。一般的な“文字関連アプリケーション”は、アプリケーションの駆動時、ユーザーから文字が入力されるアプリケーションを言い、文字メッセージ転送機能やスケジュール管理機能などになり得る。
【００４０】
ユーザーが、表示されたアプリケーションの一つを選択すれば、制御部２は、段階Ｓ１７８において当該アプリケーションが入力された文字を入力値として認識するように制御しながら、当該アプリケーションを駆動する。
【００４１】
なお、本発明の詳細な説明では、計算機、度量衡変換器、アラーム機能、スケジュール管理機能のように具体的な実施形態について説明したが、本発明は数字及び文字が入力される全てのアプリケーションに適用できる。よって、本発明の範囲は、前述の実施形態に限定されるものではなく、特許請求の範囲の記載及びこれと均等なものに基づいて定められるべきである。
【図面の簡単な説明】
【００４２】
【図１】本発明の実施形態による移動通信端末機のブロック構成である。
【図２】本発明の実施形態による移動通信端末機において数字関連アプリケーションを駆動するための制御フローチャートである。
【図３Ａ】本発明による数字関連アプリケーションの駆動時の表示部の画面の一例を示す図である。
【図３Ｂ】本発明による数字関連アプリケーションの駆動時の表示部の画面の一例を示す図である。
【図４】本発明による移動通信端末機において数字関連アプリケーションを駆動するための第１の実施形態を示す図である。
【図５】図４の実施形態による数字関連アプリケーションの駆動時の表示部の画面を示す図である。
【図６Ａ】本発明の実施形態による度量衡変換器アプリケーションの駆動時の表示部の画面を示す図である。
【図６Ｂ】本発明の実施形態による度量衡変換器アプリケーションの駆動時の表示部の画面を示す図である。
【図６Ｃ】本発明の実施形態による度量衡変換器アプリケーションの駆動時の表示部の画面を示す図である。
【図７】本発明による移動通信端末機において数字関連アプリケーションを駆動するための第２の実施形態を示す図である。
【図８Ａ】図７の実施形態による数字関連アプリケーションの駆動時の表示部の画面を示す図である。
【図８Ｂ】図７の実施形態による数字関連アプリケーションの駆動時の表示部の画面を示す図である。
【図８Ｃ】図７の実施形態による数字関連アプリケーションの駆動時の表示部の画面を示す図である。
【図８Ｄ】図７の実施形態による数字関連アプリケーションの駆動時の表示部の画面を示す図である。
【図８Ｅ】図７の実施形態による数字関連アプリケーションの駆動時の表示部の画面を示す図である。
【図９Ａ】本発明の実施形態によるスケジュール管理アプリケーションの駆動時の表示部の画面を示す図である。
【図９Ｂ】本発明の実施形態によるスケジュール管理アプリケーションの駆動時の表示部の画面を示す図である。
【図９Ｃ】本発明の実施形態によるスケジュール管理アプリケーションの駆動時の表示部の画面を示す図である。
【図１０】本発明の実施形態による移動通信端末機において文字関連アプリケーションを駆動するための制御フローチャートである。
【符号の説明】
【００４３】
２  制御部
４  無線部
６  音声処理部
８  表示部
１０  キー入力部
１２  メモリ
【図１】
2007058861.tif 000003
【図２】
2007058861.tif 000004
【図３Ａ】
2007058861.tif 000005
【図３Ｂ】
2007058861.tif 000006
【図４】
2007058861.tif 000007
【図５】
2007058861.tif 000008
【図６Ａ】
2007058861.tif 000009
【図６Ｂ】
2007058861.tif 000010
【図６Ｃ】
2007058861.tif 000011
【図７】
2007058861.tif 000012
【図８Ａ】
2007058861.tif 000013
【図８Ｂ】
2007058861.tif 000014
【図８Ｃ】
2007058861.tif 000015
【図８Ｄ】
2007058861.tif 000016
【図８Ｅ】
2007058861.tif 000017
【図９Ａ】
2007058861.tif 000018
【図９Ｂ】
2007058861.tif 000019
【図９Ｃ】
2007058861.tif 000020
【図１０】
2007058861.tif 000021